(57)【要約】      （修正有）【課題】吸痰器から気管支鏡を挿入する操作が簡単な密閉型吸痰器を提供する。【解決手段】本体１０、気管支鏡挿入管２０、閉鎖弁３０および気管支鏡挿入管カバー４０から構成され、気管支鏡挿入管２０は、本体１０上に設けられ、連通空間１００と相互に連通している。閉鎖弁３０は、気管支鏡挿入管２０の開口部を塞ぐように設けられ、閉鎖片３１を有する。閉鎖片３１は先端部が合わさって閉塞し、先端から気管支鏡挿入管２０内に挿入されて気管支鏡挿入管２０に嵌合して密着する。気管支鏡挿入管カバー４０は、気管支鏡挿入管２０上に嵌合されるカバー外部４１、およびカバー外部４１内に延伸成型されたカバー内部４２を具え、カバー内部４２に気管支鏡２が挿入される穴４２０が設けられている。【選択図】図４
0003181797.tif 000002
【実用新案登録請求の範囲】
【請求項１】
連通空間を有する本体と、
前記本体に設けられ、前記連通空間と相互に連通している気管支鏡挿入管と前記気管支鏡挿入管の開口部を閉鎖するように設けられ、少なくとも一つの閉鎖片を有し、該閉鎖片は先端部が合わさることによって密閉するように配置されて、前記先端部を前記気管支鏡挿入管内に挿入して前記気管支鏡挿入管開口部に密接して閉鎖する閉鎖弁と、
前記気管支鏡挿入管に嵌合されるカバー外部、および前記カバー外部内方に突出形成されたカバー内部を有し、前記カバー内部に気管支鏡が挿入される穴が設けられている気管支鏡挿入管カバーと、から構成することを特徴とする気管支鏡を挿入する密閉型吸痰器。
【請求項２】
前記本体は、前記連通空間を介して相互に連通する複数のジョイントを有し、前記複数のジョイントは、吸痰管を挿着する吸痰管接続部、人体の気管に連接する患者接続部、酸素供給器に連接する酸素供給分岐管、前記酸素供給分岐管と前記吸痰管接続部との間に設けられた洗浄液注入分岐管、および回転弁に連通し、
前記気管支鏡挿入管は、前記酸素供給分岐管と前記洗浄液注入分岐管との間に設けられていることを特徴とする請求項１に記載の気管支鏡を挿入する密閉型吸痰器。
【請求項３】
前記気管支鏡挿入管は、前記本体に対して人体の気管に向けて斜角を呈するように設けられていることを特徴とする請求項１に記載の気管支鏡を挿入する密閉型吸痰器。
【請求項４】
前記閉鎖弁は、前記気管支鏡挿入管の前記開口部に嵌合して止める嵌合環を具え、該嵌合環は前記閉鎖片の他方の端部に連接していることを特徴とする請求項１に記載の気管支鏡を挿入する密閉型吸痰器。
【請求項５】
前記閉鎖弁の嵌合環は、前記気管支鏡挿入管と気管支鏡挿入管カバーとの間に挟設されていることを特徴とする請求項４に記載の気管支鏡を挿入する密閉型吸痰器。
【請求項６】
前記閉鎖弁の嵌合環は、前記気管支鏡挿入管の開口部と前記気管支鏡挿入管カバーの内壁面との間に密着して配置されていることを特徴とする請求項５に記載の気管支鏡を挿入する密閉型吸痰器。
【請求項７】
前記閉鎖弁の嵌合環は、側面が前記気管支鏡挿入管の内壁面と前記気管支鏡挿入管カバーのカバー内部との間に密着して配置されていることを特徴とする請求項５に記載の気管支鏡を挿入する密閉型吸痰器。
【請求項８】
前記気管支鏡挿入管カバーの気管支鏡挿入管に嵌合されるカバー外部は、カバー内部との間に環状収納溝を形成し、前記環状収納溝の中に前記閉鎖弁の嵌合環が配置されていることを特徴とする請求項４に記載の気管支鏡を挿入する密閉型吸痰器。
【請求項９】
前記閉鎖片は、複数であり、先端で相互に接して閉鎖していることを特徴とする請求項１に記載の気管支鏡を挿入する密閉型吸痰器。
【請求項１０】
前記カバー内部に設けられた気管支鏡が挿入される穴の孔径が前記気管支鏡の管径より小さいことを特徴とする請求項１に記載の気管支鏡を挿入する密閉型吸痰器。
【請求項１１】
前記気管支鏡挿入管カバーは、前記カバー外部を覆う蓋をさらに有し、前記蓋は前記カバー外部の外側面に連接していることを特徴とする請求項１に記載の気管支鏡を挿入する密閉型吸痰器。
【考案の詳細な説明】
【技術分野】
【０００１】
本考案は、密閉型吸痰器に関し、特に、気管支鏡を挿入する密閉型吸痰器に関する。
【背景技術】
【０００２】
気管支鏡検査は、鼻腔または口腔から細長い気管支鏡を気管支内に挿入し、気管支鏡が撮影した映像をモニター上に表示して医師が気管支内の状況を観察するものである。また、呼吸器を使用している患者または気管切開を行った患者に対しては、開口部から気管支鏡を挿入して検査を行う。
【０００３】
呼吸器を使用している患者または気管切開を行った患者は、吸痰器を用いて吸痰または酸素の供給を行う必要がある。そのため、気管支鏡を挿入する場合、吸痰器またはその付属品を取り外し、検査後に再び元に戻さなければならなかった。気管支鏡検査が頻繁に行われる場合、吸痰器またはその付属品の着脱を繰り返すのは、患者に不快な思いをさせるだけでなく、医療従事者の負担を増加させることにもなる。
【０００４】
気管支鏡検査の際、患者には酸素の供給が必要である。従来の吸痰器は、気管支鏡が挿入される時に、気管支鏡と本体との間の隙間から酸素が漏れることがあり、正常な酸素供給に悪影響を与えていた。そのため、気管支鏡を用いやすい吸痰器の提供が待たれていた。
【先行技術文献】
【特許文献】
【０００５】
【特許文献１】特開２０１０−４２０８２号公報
【考案の概要】
【考案が解決しようとする課題】
【０００６】
本考案の第１の目的は、吸痰器から気管支鏡を挿入する操作が簡単で、吸痰器またはその付属品の着脱を繰り返す際の患者の不快感を減少させる気管支鏡を挿入する密閉型吸痰器を提供することにある。
本考案の第２の目的は、患者が必要とする酸素を漏らすことなく安定して供給する気管支鏡を挿入する密閉型吸痰器を提供することにある。
【課題を解決するための手段】
【０００７】
上述の目的を達成するため、本考案は、気管支鏡を挿入する密閉型吸痰器を提供する。本考案の気管支鏡を挿入する密閉型吸痰器は、本体、気管支鏡挿入管、閉鎖弁および気管支鏡挿入管カバーにより構成する。
本体は、連通空間を有する。気管支鏡挿入管は、本体上に設けられ、連通空間と相互に連通している。閉鎖弁は、気管支鏡挿入管の開口部を塞ぐように設けられ、少なくとも一つの閉鎖片を有する。閉鎖片は、先端部が密閉するように合わさり、端部が気管支鏡挿入管内に挿入されて気管支鏡挿入管と嵌合して密着する。気管支鏡挿入管カバーは、気管支鏡挿入管上に嵌合されるカバー外部、およびカバー外部内に延伸成型されたカバー内部を有する。カバー内部に気管支鏡が挿入される穴が設けられている。
【考案の効果】
【０００８】
本考案の気管支鏡を挿入する密閉型吸痰器は、痰器から気管支鏡を挿入する操作が簡単で、吸痰器またはその付属品の着脱を繰り返す際の患者の不快感を減少させることができる。また、患者が必要とする酸素を漏らすことなく安定して供給することができる。
【図面の簡単な説明】
【０００９】
【図１】本考案の一実施形態による密閉型吸痰器を示す分解斜視図である。
【図２】本考案の一実施形態による気管支鏡ジョイントを示す局部断面図である。
【図３】本考案の一実施形態による密閉型吸痰器を示す断面図である。
【図４】本考案の一実施形態による密閉型吸痰器に気管支鏡が挿入された状態を示す断面図である。
【考案を実施するための形態】
【００１０】
以下、本考案の実施形態を図面に基づいて説明する。
【００１１】
図１、図２および図３を参照する。図１は、本考案の一実施形態による密閉型吸痰器を示す分解斜視図である。図２は、本考案の一実施形態による気管支鏡ジョイントを示す局部図である。図３は、本考案の一実施形態による密閉型吸痰器を示す斜視図である。図１、図２および図３に示すように、本考案の気管支鏡を挿入する密閉型吸痰器１は、本体１０、気管支鏡挿入管２０、閉鎖弁３０および気管支鏡挿入管カバー４０を含む。
【００１２】
本体１０は、連通空間１００、および連通空間１００を介して相互に連通する複数のジョイントを有する。これらのジョイントは、吸痰管を挿着する吸痰管接続部１１１、人体の気管に連接する患者接続部１１２、酸素供給器に連接する酸素供給分岐管１１３、酸素供給分岐管１１３と吸痰管接続部１１１との間に設けられた洗浄液注入分岐管１１４、および回転弁１１５を有する。洗浄液注入分岐管１１４は、洗浄装置に連接している。以上のジョイントは、従来技術で、本考案の重点ではないため、説明を加えない。
【００１３】
気管支鏡挿入管２０は、本体１０に設けられ、連通空間１００と相互に連通している。また、気管支鏡挿入管２０は、本体１０に対して人体の気管に向けて斜角を呈するように設けられている。本実施形態において、気管支鏡挿入管２０は、酸素供給分岐管１１３と洗浄液注入分岐管１１４との間に設けられているが、これに限定されるものではない。
【００１４】
気管支鏡挿入管２０の閉鎖弁３０は、気管支鏡挿入管２０の開口部２０１を塞ぐように設けられている。閉鎖弁３０は、少なくとも一つの閉鎖片３１を有する。閉鎖片３１は、気管支鏡挿入管２０内に挿入されて気管支鏡挿入管２０を封止する。本実施形態において、閉鎖片３１は、複数の片状体からなり、図示するようにこれらの閉鎖片３１先端部で密閉するように合わさっている。閉鎖弁３０は、気管支鏡挿入管２０の開口部２０１の開口縁に嵌合して固定される嵌合環３２を具え、嵌合環３２は閉鎖片３１の他方の端部に連接している。
【００１５】
気管支鏡挿入管カバー４０は、気管支鏡挿入管２０に嵌合されるカバー外部４１、およびカバー外部４１内に突出して形成されたカバー内部４２を有する。また、気管支鏡挿入管カバー４０は、カバー外部４１を覆う蓋４３をさらに、蓋４３は、カバー外部４１の外側面に連接している。蓋４３、カバー外部４１およびカバー内部４２は、射出成形により一体成形されるのが好適である。
【００１６】
図２および図３を参照する。気管支鏡挿入管カバー４０のカバー外部４１とカバー内部４２との間に環状収納溝４００が形成されている。
環状収納溝４００の中に閉鎖弁３０の嵌合環３２が配置され、嵌合環３２の側壁が気管支鏡挿入管２０の内壁面２０２と気管支鏡挿入管カバー４０の内壁面４０１との間に密着している。つまり、嵌合環３２が気管支鏡挿入管２０との気管支鏡挿入管カバー４０との間に挟設され、その頂面３２１が気管支鏡挿入管２０の開口部２０１と気管支鏡挿入管カバー４０の内壁面４０１との間に嵌合されている。
【００１７】
図４を参照する。図４は、本考案の一実施形態による密閉型吸痰器に気管支鏡が挿入された状態を示す断面図である。図４に示すように、本考案の密閉型吸痰器１は、気管支鏡２を挿入するのに供される。気管支鏡２が挿入される穴４２０が気管支鏡挿入管カバー４０のカバー内部４２に設けられている。気管支鏡２が穴４２０から密閉型吸痰器１に挿入されると、まず閉鎖弁３０に入り、続いて閉鎖片３１を貫通して連通空間１００内に入り、最後に患者接続部１１２から出て人体の気管支に挿入され、検査が行われる。
【００１８】
ここで重要なのは、穴４２０の孔径が気管支鏡２の管径より小さいことである。図４を見ると、カバー内部４２の内壁が気管支鏡２をしっかり押圧し、閉鎖片３１も気管支鏡２の外壁をしっかり圧接しているのがよくわかる。これにより、気管支鏡２が密閉型吸痰器１により人体の気管支に挿入され、同時に密閉型吸痰器１内の酸素が漏れるのを防ぐことができる。そのため、気管支鏡検査の際に、患者に必要な酸素を安定して提供することができる。
【００１９】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２０】
１  密閉型吸痰器
２  気管支鏡
１０  本体
２０  気管支鏡挿入管
３０  閉鎖弁
３１  閉鎖片
３２  嵌合環
４０  気管支鏡挿入管カバー
４１  カバー外部
４２  カバー内部
４３  蓋
１００  連通空間
１１１  吸痰管接続部
１１２  患者接続部
１１３  酸素供給分岐管
１１４  洗浄液注入分岐管
１１５  回転弁
２０１  開口部
２０２  内壁面
３２１  頂面
４００  環状収納溝
４０１  内壁面
４２０  穴
【図１】
0003181797.tif 000003
【図２】
0003181797.tif 000004
【図３】
0003181797.tif 000005
【図４】
0003181797.tif 000006